(57)【要約】【課題】配向方向を直交して配置した２つの液晶光学レンズを独立に制御して、焦点位置を自在に制御し、入射光に対する焦点位置を高精度に一点に結ぶことができる液晶光学レンズ装置とその駆動方法を提供すること。【解決手段】可変焦点レンズである第１の液晶光学レンズと、第１の液晶光学レンズと同じ構成であり、かつ第１の液晶光学レンズの配向方向に対して配向方向を直交させて積層配置した第２の液晶光学レンズと、第１、第２の液晶光学レンズにおける液晶層の複屈折位相差を制御する駆動手段とを有する液晶光学レンズ装置において、第１の液晶光学レンズが、第１の駆動手段により制御され、第２の液晶光学レンズが第２の駆動手段により制御されて、第１と第２の液晶光学レンズで位相変調されたそれぞれの偏光成分が同じ位置で合焦するように、第１、第２の駆動手段をそれぞれ制御できるようにした。【選択図】  図１
2006227036.tif 000002
【特許請求の範囲】
【請求項１】
可変焦点レンズである第１の液晶光学レンズと、前記第１の液晶光学レンズと同じ構成であり、かつ前記第１の液晶光学レンズの配向方向に対して配向方向を直交させて積層配置した第２の液晶光学レンズと、前記第１、第２の液晶光学レンズにおける液晶層の複屈折位相差を制御する駆動手段とを有する液晶光学レンズ装置において、
前記第１の液晶光学レンズは、第１の駆動手段により制御され、
前記第２の液晶光学レンズは、第２の駆動手段により制御されて、
前記第１と第２の液晶光学レンズで位相変調されたそれぞれの偏光成分が同じ位置で結像するように、前記第１、第２の駆動手段をそれぞれ制御できるようにしたことを特徴とする液晶光学レンズ装置。
【請求項２】
前記第１の液晶光学レンズと前記第２の液晶光学レンズは、ともに複数枚の液晶光学レンズにより構成されていることを特徴とする請求項１に記載の液晶光学レンズ装置。
【請求項３】
前記第１、第２の駆動手段で制御する駆動方式は、振幅変調駆動方式であることを特徴とする請求項１または２に記載の液晶光学レンズ装置。
【請求項４】
前記第１、第２の駆動手段で制御する駆動方式は、パルス幅変調駆動方式であることを特徴とする請求項１または２に記載の液晶光学レンズ装置。
【請求項５】
可変焦点レンズである第１の液晶光学レンズと、前記第１の液晶光学レンズと同じ構成であり、かつ前記第１の液晶光学レンズの配向方向に対して配向方向を直交して積層配置した第２の液晶光学レンズと、前記第１、第２の液晶光学レンズにおける液晶層の複屈折位相差を制御する駆動手段とを有する液晶光学レンズ装置の駆動方法において、
前記第１の液晶光学レンズを、第１の駆動手段により制御し、
前記第２の液晶光学レンズを、第２の駆動手段により制御して、
前記第１と第２の液晶光学レンズとで位相変調されたそれぞれの偏光成分が同じ位置で合致するように、前記第１、第２の駆動手段をそれぞれ制御することを特徴とする液晶光学レンズ装置の駆動方法。
【請求項６】
前記第１、第２の駆動手段で制御する駆動方式は、振幅変調駆動方式であることを特徴とする請求項５に記載の液晶光学レンズ装置の駆動方法。
【請求項７】
前記第１、第２の駆動手段で制御する駆動方式は、パルス幅変調駆動方式であることを特徴とする請求項５に記載の液晶光学レンズ装置の駆動方法。
【発明の詳細な説明】
【技術分野】
【０００１】
この発明は、可変焦点レンズである一対の液晶光学レンズを備えた液晶光学レンズ装置及びその駆動方法に関し、特に、可変焦点レンズである第１の液晶光学レンズと、第１の液晶光学レンズと同じ構成であり、かつ第１の液晶光学レンズの配向方向に対して配向方向を直交させて積層配置した第２の液晶光学レンズと、第１、第２の液晶光学レンズにおける液晶層の複屈折位相差を制御する駆動手段とを有する液晶光学レンズ装置及びその駆動方法に関する。
【背景技術】
【０００２】
近年、デジタルカメラ等に搭載される小型薄型のカメラモジュールの研究開発が進められ、さらなるカメラモジュールの小型薄型化や、そして画質の向上等が求められている。この画質の向上をするためには、撮像素子の高精細化だけでなく、他にカメラモジュールに必要不可欠な光学レンズの高精度の微細加工技術と、光学レンズの高い合焦点精度が求められる。
【０００３】
さらに、小型薄型のカメラモジュールに搭載されるオートフォーカス機能を実現するためには、カメラに入射する光の焦点を可変にする機構も必要となり、小型薄型で、焦点可変の機構を有し、かつ高い合焦点精度のカメラモジュールが必要となる。そこで、これら機能を兼ね備えたカメラモジュールとして、液晶を用いた液晶光学レンズの複屈折位相差を変化させることにより焦点を合わせる液晶光学レンズ装置が提案された（例えば、特許文献１、特許文献２参照）。
【０００４】
この液晶光学レンズ装置は、ある偏光方向で光軸上に配置された、可変焦点レンズとして機能する一対の液晶光学レンズを、光軸に対して配向方向を９０度回転させて配置して、光の偏光方向に依存しない構成となっている。そして、これら液晶光学レンズを同じ電圧で交流駆動させることで、入射光を所定の位置（例えば、撮像素子）に結像させることができるようになる。
【０００５】
【特許文献１】特開昭６１―１５６２２１号公報（第２―３頁、第３図）
【特許文献２】特許第３０４７０８２号公報（第６頁、第１５図）
【発明の開示】
【発明が解決しようとする課題】
【０００６】
しかしながら、この一対の液晶光学レンズは、ともに同じ交流電圧で駆動する構成となっているので、各偏光方向の入射光の焦点が、光軸上の一点に結像させることができないという問題を有している。つまり、一方の偏光方向の入射光は、撮像素子に正確に結像させることができるが、他方の偏光方向の入射光は、撮像素子に正確に結像させることができなくなるのである。この問題は、特に撮像素子の高精細化にともない無視できなくなることは明白である。
【０００７】
また、この問題は、カメラモジュールに搭載される光学部品の配置によるが、焦点位置を液晶光学レンズ側に近づける程、結像位置での焦点精度が低下してしまうという問題もある。
【０００８】
そこで、本発明の目的は上記課題を解決し、配向方向を直交して配置した２つの液晶光学レンズを独立に制御して、焦点位置を自在に制御し、入射光に対する焦点位置を高精度に一点に結ぶことができる液晶光学レンズ装置とその駆動方法を提供することである。
【課題を解決するための手段】
【０００９】
上述した課題を解決し、本発明の目的を達成するため、本発明の液晶光学レンズ装置とその駆動方法は、基本的には下記記載の構成要件を採用する。
本発明の液晶光学レンズ装置は、可変焦点レンズである第１の液晶光学レンズと、第１の液晶光学レンズと同じ構成であり、かつ第１の液晶光学レンズの配向方向に対して配向方向を直交させて積層配置した第２の液晶光学レンズと、第１、第２の液晶光学レンズにおける液晶層の複屈折位相差を制御する駆動手段とを有する液晶光学レンズ装置において、第１の液晶光学レンズが、第１の駆動手段により制御され、第２の液晶光学レンズが第２の駆動手段により制御されて、第１と第２の液晶光学レンズで位相変調されたそれぞれの偏光成分が同じ位置で合焦するように、第１、第２の駆動手段をそれぞれ制御できるようにしたことを特徴とするものである。
【００１０】
上記構成とすれば、一対の液晶光学レンズによりそれぞれ結像される焦点位置を独立に制御することができ、入射光の焦点位置を高精度に合致させることができる。これは焦点位置が一対の液晶光学レンズに対して近づくほど効果がある。
【００１１】
また、本発明の液晶光学レンズ装置は、前述した第１の液晶光学レンズと第２の液晶光学レンズが、ともに複数枚の液晶光学レンズにより構成されていることを特徴とするものである。
【００１２】
さらに、本発明の液晶光学レンズ装置は、前述した第１、第２の駆動手段で制御する駆動方式が、振幅変調駆動方式であることを特徴とするものである。
【００１３】
またさらに、本発明の液晶光学レンズ装置は、第１、第２の駆動手段で制御する駆動方式が、パルス幅変調駆動方式であることを特徴とするものである。
【００１４】
本発明の液晶光学レンズ装置の駆動方法は、可変焦点レンズである第１の液晶光学レンズと、第１の液晶光学レンズと同じ構成であり、かつ第１の液晶光学レンズの配向方向に対して配向方向を直交して積層配置した第２の液晶光学レンズと、第１、第２の液晶光学レンズにおける液晶層の複屈折位相差を制御する駆動手段とを有する液晶光学レンズ装置の駆動方法において、第１の液晶光学レンズを第１の駆動手段により制御し、第２の液晶光学レンズを第２の駆動手段により制御して、第１と第２の液晶光学レンズとで位相変調されたそれぞれの偏光成分が同じ位置で合焦するように、第１、第２の駆動手段をそれぞれ制御することを特徴とするものである。
【００１５】
また、本発明の液晶光学レンズ装置の駆動方法は、前述した第１、第２の駆動手段で制御する駆動方式が、振幅変調駆動方式であることを特徴とするものである。
【００１６】
さらに、本発明の液晶光学レンズ装置の駆動方法は、前述した第１、第２の駆動手段で制御する駆動方式が、パルス幅変調駆動方式であることを特徴とするものである。
【発明の効果】
【００１７】
本発明によれば、一対の液晶光学レンズをそれぞれ独立に制御し、焦点位置を自在に制御することができるので、入射光に対する各偏光方向の入射光を同じ焦点位置で高精度に結像させることができる。
【発明を実施するための最良の形態】
【００１８】
本発明の液晶光学レンズ装置は、可変焦点レンズである第１の液晶光学レンズと、第１の液晶光学レンズと同じ構成であり、かつ第１の液晶光学レンズの配向方向に対して配向
方向を直交させて積層配置した第２の液晶光学レンズと、第１、第２の液晶光学レンズにおける液晶層の複屈折位相差を制御する駆動手段とを有する液晶光学レンズ装置において、第１の液晶光学レンズが、第１の駆動手段により制御され、第２の液晶光学レンズが第２の駆動手段により制御されて、第１と第２の液晶光学レンズで位相変調されたそれぞれの偏光成分が同じ位置で合焦するように、第１、第２の駆動手段をそれぞれ制御できるようになっている。
図面を参照して、上述した本発明にかかる液晶光学レンズ装置及びその駆動方法の好適な実施の形態を以下で詳細に説明する。
【実施例１】
【００１９】
図１は、本発明の液晶光学レンズ装置の概略構成を示す図である。
図１に示すように、本発明の液晶光学レンズ装置は、第１の液晶光学レンズ１と第２の液晶光学レンズ２とが一体となって構成され、第１、第２の液晶光学レンズ１，２には、それぞれ駆動手段１０１と１０２が接続された形態となっている。
【００２０】
この第１の液晶光学レンズは、透明電極１６ａが凹側に形成された平凹レンズ形状をした透明基盤１０と、透明電極１６ｂが形成された平面形状の透明基盤１１とを、それぞれの透明電極１６ａと１６ｂとが向き合う位置で、所定の間隙をもって透明基盤１０，１１の間にスペーサ１４を介して挟持し、このスペーサ１４によって規定された間隙に液晶１８ａを封入することで構成されている。
【００２１】
また、第２の液晶光学レンズ２は、透明電極１７ａと１７ｂとが第１の液晶光学レンズ１と同様に構成され、スペーサ１４によって規定された間隙に液晶１８ｂを封入された構成となっている。
【００２２】
さらに、液晶１８ａを挟み込む透明電極１６ａと１６ｂに、電圧を印加するための駆動手段１０１と、液晶１８ｂを挟み込む透明電極１７ａと１７ｂに電圧を印加するための駆動手段１０２とがそれぞれ接続されている。
【００２３】
第１の液晶光学レンズ１と第２の液晶光学レンズ２とに封入されている液晶１８ａ、１８ｂの液晶分子１９ａ、１９ｂの配向方向は、それぞれ直交して形成されている。なお、透明電極１６ａ、１６ｂに電圧が印加されると、液晶分子１９ａ、１９ｂは、光軸に対して水平になる向きで傾斜し、この液層分子１９ａ、１９ｂの傾斜角を駆動手段１０１、１０２で制御することにより、第１の液晶光学レンズ１と第２の液晶光学レンズ２のそれぞれの焦点距離を制御する。
【００２４】
次に、第１の液晶光学レンズ１と第２の液晶光学レンズ２に入射光が入射したときの光の屈折について図２を用いて説明する。
【００２５】
入射光が第１の液晶光学レンズ１に入射すると、第１の液晶光学レンズ１において屈折する偏光成分のみの光が屈折し、屈折光３０として光軸上の焦点位置Ａ点で結像する。
【００２６】
また、入射光が第２の液晶光学レンズ２に入射すると、液晶光学レンズ１で屈折した偏光成分と直交した偏光成分の光とが液晶光学レンズ２において屈折し、屈折光３１となって光軸上の焦点位置Ａ点で結像する。仮に第１の液晶光学レンズ１にて屈折する光をＰ偏光の光、第２の液晶光学レンズ２にて屈折する光をＳ偏光の光とする。
【００２７】
これは、第１の液晶光学レンズ１に接続されている駆動手段１０１と第２の液晶光学レンズ２に接続されている駆動手段１０２が、上記第１の液晶光学レンズ１と第２の液晶光学レンズ２において屈折する光の結像点を同じ位置になるように制御できるようなってい
るからこそ、上記の様に、屈折光３０，３１を同じ焦点位置Ａで結像させることができるのである。
【００２８】
次に、本発明の液晶光学レンズを制御する駆動方法について図２、図３を用いて説明する。
通常液晶光学レンズを駆動するために用いられる駆動方法としては、交流電圧を電極に印加することで液晶分子の立ち上がり、または立ち下りを制御する。図３は、印加電圧の振幅を変更することにより液晶分子を制御する振幅変調駆動方式（ＰＨＭ駆動方式）を用いた例を示している。
【００２９】
なお図３に示す駆動方法は、第１、第２の液晶光学レンズ１、２の液晶１８ａ、１８ｂ内の液晶分子１９ａ、１９ｂの配向状態が、ともにホモジニアス配向とした場合を示している。また、本実施例を説明する上での焦点位置をＡ点（図２参照）とする。
【００３０】
本発明の駆動方法は、図３に示す駆動波形４０が、駆動手段１０１より第１の液晶光学レンズ１の透明電極１６ａ、または１６ｂのどちらか一方に供給され、電圧を印加しない他方の電極側へはグランドレベルの一定の基準電位が与えられて駆動される。そして、第１の液晶光学レンズ１に入射して屈折する光は、透明電極１６ａまたは１６ｂに印加される駆動波形の振幅の大きさにより、液晶分子の立ち上がり角度が調節され、焦点位置Ａ点に焦点が合うように調整される。
【００３１】
一方、駆動波形４１は、駆動手段１０２より第２の液晶光学レンズ２の透明電極１７ａ、または１７ｂのどちらか一方に供給され、電圧を印加しない他方の電極側へはグランドレベルの一定の基準電位が与えられる。そして、第２の液晶光学レンズ２に入射して屈折する光は、透明電極１７ａまたは１７ｂに印加される駆動波形の振幅の大きさにより、液晶分子の立ち上がり角度が調節され、焦点位置Ａ点に焦点が合うように調整される。
【００３２】
なお、図３に示した駆動波形では、駆動波形４０の方が駆動波形４１に対して振幅が大きくしている。その理由は、液晶分子は、光軸と同じ方向に立つに連れて複屈折位相差の大きさが小さくなる特性があるため、焦点位置Ａ点から遠い位置にある第１の液晶光学レンズ１の焦点距離を、焦点位置Ａ点から近い位置にある第２の液晶光学レンズ２の焦点距離より遠い位置で結像させるためである。
【００３３】
以上に示した様に、駆動手段１０１により印加される駆動波形４０における第１の液晶光学レンズ１の制御と、駆動手段１０２により印加される駆動波形４１における第２の液晶光学レンズ２の制御は、異なる振幅の電圧を各液晶光学レンズに印加することにより、同じ焦点位置Ａ点の合焦を行うことができる様になる。
【００３４】
次に、液晶光学レンズを制御する他の駆動手段について図２、図４を用いて説明する。図４は、印加電圧のパルス幅を変更することにより、液晶分子を制御するパルス幅変調駆動方式（ＰＷＭ駆動方式）を用いた例を示している。
【００３５】
図４に示す駆動方法は、第１及び第２の液晶光学レンズ１、２の液晶１８ａ、１８ｂ内の液晶分子１９ａ、１９ｂの配向状態が、ともにホモジニアス配向による場合を示している。なお、本実施例を説明する上での焦点位置を上記と同じくＡ点とする。
【００３６】
本発明の駆動方法は、図４に示す駆動波形４２が、駆動手段１０１より第１の液晶光学レンズ１の透明電極１６ａ、または１６ｂのどちらか一方に供給され、他方の電極へは駆動波形４４が印加される。そして、第１の液晶光学レンズ１に入射して屈折する光は、透明電極１６ａまたは１６ｂにそれぞれ印加される駆動波形の位相差により透明電極間の電
位差が決められて、液晶分子１９ａの立ち上がり角度が調節されることで、焦点位置Ａ点に焦点が合うように調整される。例えば、駆動波形４２と駆動波形４４を第１の液晶光学レンズ１の透明電極１６ａ、１６ｂに印加すると、電極間に印加される実効的な電圧の電位の変化はＰＷＭ駆動波形４５となる。
【００３７】
一方、駆動波形４３の交流波形は、駆動手段１０２より第２の液晶光学レンズ２の透明電極１７ａ、または１７ｂのどちらか一方に供給され、他方の電極へは駆動波形４４が印加される。そして、第２の液晶光学レンズ２に入射して屈折する光は、透明電極１７ａまたは１７ｂに印加される駆動波形の位相差により透明電極１７ａ、１７ｂ間の電位差が決められて、液晶分子の立ち上がり角度が調節されることで、焦点位置Ａ点に焦点が合うように調整される。例えば、駆動波形４３と駆動波形４４を液晶光学レンズ１の透明電極１７ａ、１７ｂに印加すると、電極間に印加される実効的な電圧の電位の変化は駆動波形４６となる。この様に、ＰＷＭ駆動波形は、パルスの位相のズレ量が大きくなるほど、大きな電圧を印加することができるという利点を有している。
【００３８】
なお、図４に示した駆動波形４５と駆動波形４６は、駆動波形４５が駆動波形４６に対してパルス幅を広くしている。つまり、液晶分子１９ａ、１９ｂは、光軸と同じ方向に立つに連れて複屈折位相差が小さくなるため、焦点位置Ａ点から遠い位置にある第１の液晶光学レンズ１の焦点距離を、焦点位置Ａ点から近い位置にある第２の液晶光学レンズ２の焦点距離より長くしている。この様に、駆動波形のパルス幅の広さを変えることで、同じ焦点位置Ａ点にて焦点が合う様に制御することができる様になる。
【００３９】
以上より、駆動手段１０１による駆動波形４２と、駆動手段４４による第１の液晶光学レンズ１の制御と、駆動手段１０２による駆動波形４３と、駆動手段４４による第２の液晶光学レンズ２の制御により、異なるパルス幅の電圧を各液晶光学レンズに印加することができ、２つの偏光方向の入射光を同じ焦点位置Ａ点で合焦できる様になる。
【００４０】
なお、液晶光学レンズの駆動方法の他の方法として、周波数による駆動や磁界による駆動などが考えられるが、如何なる駆動方法においても、光軸上に重ねられたそれぞれの液晶光学レンズの液晶分子の立ち上がり、または立ち下がりを独立に制御すれば、同じ焦点位置をより正確に合致させることができる。
【００４１】
また、本実施形態においては、液晶の配向方向をホモジニアスの液晶光学レンズを例に挙げて説明したが、他の配向方向としてホメオトロピック配向、ハイブリッド配向、ツイスト配向またはベンド配向などにおいても、液晶分子の立ち上がり、立ち下がりを同様に制御することができ、上記と同様の効果を得ることができる。
【００４２】
さらに、光軸上に重ねられたそれぞれの液晶光学レンズを独立に制御した場合、液晶光学レンズに最も近い位置の焦点を合致させられる限界は、焦点位置に近い側の液晶光学レンズが合焦させられる焦点距離までとなるため、液晶光学レンズの制御は焦点位置に近い側の液晶光学レンズに合わせて制御するようにさせることが肝要である。
【００４３】
またさらに、本発明は、上述した実施例の液晶光学レンズの形状に限らず、液晶を封入されるセルの形状が異なる形状であってもよい。例えば、セルの一方の面、または両面が凹型や、凸型、またはフレネルレンズ形状の液晶光学レンズ、透明基盤に透明電極を同心円状に形成した構造の液晶光学レンズを用いても、本発明と同じ効果を得ることができる。
【実施例２】
【００４４】
次に、本発明の液晶光学レンズ装置の他の構成例について説明をする。
図５は、液晶光学レンズに使用されている液晶層の液晶分子の応答速度を早くするために、液晶層の厚みを薄くした液晶光学レンズを複数枚積層して配置した液晶光学レンズ装置の概略構成を示す図である。
【００４５】
図５に示すように、本発明の液晶光学レンズ装置は、液晶光学レンズ５０ａ、５０ｂからなる液晶光学レンズ系５０と、液晶光学レンズ５１ａ、５１ｂからなる液晶光学レンズ系５１からなり、液晶光学レンズ系５０を制御する駆動手段１０１、液晶光学レンズ系５１を制御する駆動手段１０２とをそれぞれ備えている。液晶光学レンズ系５０は、Ｐ偏光用液晶光学レンズであり、また液晶光学レンズ系５１はＳ偏光用液晶光学レンズとなっており、先に示したのと同様に、液晶光学レンズの配向方向をそれぞれ直交させて組み合わせた構成としている。なお、液晶光学レンズ系５０と液晶光学レンズ系５１の位置関係は逆となっていても構わない。また、液晶光学レンズ系５０と液晶光学レンズ系５１の構成は、実施例１で記述したものと同様である。
【００４６】
そして、駆動手段１０１は、液晶光学レンズ５０ａ、５０ｂからなる液晶光学レンズ系５０に並列に接続され、液晶光学レンズ系５０に入射する光のＰ偏光特性を持った光の屈折を制御する。また、駆動手段１０２は液晶光学レンズ５１ａ、５１ｂからなる液晶光学レンズ系５０に並列に接続され、液晶光学レンズ系５１に入射する光のＳ偏光特性を持った光の屈折を制御する。
【００４７】
なお、本発明の液晶光学レンズ装置を構成する液晶光学レンズ系５０と液晶光学レンズ系５１の駆動方法については、実施例１で説明した、ＰＨＭ駆動やＰＷＭ駆動などの交流電圧駆動を用いることができる。また、液晶光学レンズ系５０、５１の焦点位置の合焦方法についても実施例１に記した通りである。
【００４８】
また、本実施例２で示したように、液晶光学レンズを各偏光方向別に複数個設置し、光軸方法に対して重ね合わせた形態とすれば、液晶光学レンズ系５０、５１に入射するＰ偏光成分の光とＳ偏光成分の光は、先に示した実施例１に比べて屈折する位置が大きく異なるため、高精度に互いの焦点を合わせたい場合は、偏光成分別に各液晶光学レンズ５０ａ，５０ｂ，５１ａ，５１ｂをそれぞれ別々に制御するのが望ましい。
【産業上の利用可能性】
【００４９】
以上のように、本発明にかかる液晶光学レンズ装置及びその駆動方法は、高精度に焦点を合わせることが出来る装置であり、特に、カメラ、デジタルカメラ、ムービーカメラ、カメラ付き携帯電話のカメラ部、車等に搭載されて後方確認用モニタなどに用いられるカメラ、内視鏡のカメラ部、レンズの度を変化させる機能を有する眼鏡などに適している。
【図面の簡単な説明】
【００５０】
【図１】本発明にかかる液晶光学レンズ装置の構成例を示す図である。（実施例１）
【図２】本発明にかかる液晶光学レンズ装置の作用を示す図である。（実施例１）
【図３】本発明の液晶光学レンズ装置に適用するＰＨＭ駆動方式による駆動波形を示す図である。（実施例１）
【図４】本発明の液晶光学レンズ装置に適用するＰＷＭ駆動方式による駆動波形を示す図である。（実施例１）
【図５】本発明の液晶光学レンズ装置の他の構成例を示す図である。（実施例２）
【符号の説明】
【００５１】
１  第１の液晶光学レンズ
２  第２の液晶光学レンズ
１０,１１  透明基盤
１４  スペーサ
１６ａ,１６ｂ，１７ａ,１７ｂ  透明電極
１８ａ,１８ｂ，１９ａ,１９ｂ  液晶
３０，３１  屈折光
３２  入射光
４０〜４６  駆動波形
５０，５１  液晶光学レンズ系
５０ａ,５０ｂ，５１ａ，５１ｂ  液晶光学レンズ
１０１，１０２  駆動手段
【図１】
2006227036.tif 000003
【図２】
2006227036.tif 000004
【図３】
2006227036.tif 000005
【図４】
2006227036.tif 000006
【図５】
2006227036.tif 000007